(57)【要約】【課題】タワーセクション又はタワー部分から風車タワー壁部を組み立てる単純な方法を可能にする。【解決手段】リフトの連結エレメントに結合可能なバー１０１，１０２と、第１の位置１１５においてタワー壁部分１１３に係合するための第１の係合部分１０６を有する第１の保持部材１０５と、第１の位置とは異なる第２の位置１１９においてタワー壁部分に掛合するための第２の係合部分１０８を有する第２の保持部材１０７と、が設けられており、第１の係合部分と、第２の係合部分とが、互いに第１の距離（ｄ１）だけ離れて位置するように、第１の保持部材と、第２の保持部材とが、バーに取外し可能に固定され、第１の係合部分と、第２の係合部分とが、互いに第２の距離（ｄ１′）だけ離れて位置するように、第１の保持部材と、第２の保持部材とが、バーに取外し可能に固定され、第２の距離が第１の距離とは異なる。【選択図】図１
2012012223.tif 000002
【特許請求の範囲】
【請求項１】
風車のタワー壁部分を持ち上げるための装置において、
リフトの連結エレメントに結合可能なバー（１０１，１０２）と、
第１の位置（１１５）においてタワー壁部分（１１３）に係合するための第１の係合部分（１０６）を有する第１の保持部材（１０５）と、
前記第１の位置とは異なる第２の位置（１１９）においてタワー壁部分に係合するための第２の係合部分（１０８）を有する第２の保持部材（１０７）と、が設けられており、
第１の係合部分と、第２の係合部分とが、互いに第１の距離（ｄ１）だけ離れて位置するように、第１の保持部材と、第２の保持部材とが、バーに取外し可能に固定されるようになっており、
第１の係合部分と、第２の係合部分とが、互いに第２の距離（ｄ１′）だけ離れて位置するように、第１の保持部材と、第２の保持部材とが、バーに取外し可能に固定されるようになっており、第２の距離が第１の距離とは異なることを特徴とする、タワー壁部分を持ち上げるための装置。
【請求項２】
第１の保持部材及び／又は第２の保持部材が、バーに沿って、バーの長手方向（１３３）に摺動可能である、請求項１記載の装置。
【請求項３】
第１の係合部分と、第２の係合部分とが、第１の係合部分と第２の係合部分との間の距離を増大することによって、タワー部分に係合するように配置可能である、請求項１又は２記載の装置。
【請求項４】
第１の係合部分及び／又は第２の係合部分が、タワー壁部分に配置されたフランジ（１１５，１１９）に係合するようになっている、請求項１から３までのいずれか１項記載の装置。
【請求項５】
フランジが、タワー壁部分から内方へ突出している、請求項４記載の装置。
【請求項６】
第１の保持部材と、第２の保持部材とを、互いに対して移動させるための移動アクチュエータが設けられている、請求項１から５までのいずれか１項記載の装置。
【請求項７】
前記移動アクチュエータが、液圧式アクチュエータ及び／又は電気アクチュエータを含む、請求項６記載の装置。
【請求項８】
第１の保持部材及び／又は第２の保持部材をバーに固定するための固定アクチュエータが設けられている、請求項１から７までのいずれか１項記載の装置。
【請求項９】
前記固定アクチュエータが、液圧式アクチュエータ及び／又は電気アクチュエータを含む、請求項８記載の装置。
【請求項１０】
第１の係合部分と、第２の係合部分とが、タワー壁部分の環状の上端部（１３１）に、互いに反対側に位置した第１の位置（１１５）と第２の位置（１１９）とにおいて係合するようになっている、請求項１から９までのいずれか１項記載の装置。
【請求項１１】
風車のタワー壁部分を持ち上げるための方法において、
第１の保持部材（１０５）に設けられた第１の係合部分（１０６）と、第２の保持部材（１０７）に設けられた第２の係合部分（１０８）との間の第１の距離（ｄ１）を調節し、
第１の位置（１１５）において第１の係合部分を用いかつ第２の位置（１１９）において第２の係合部分を用いて、タワー壁部分（１１３）に係合し、
第１の保持部材をバーに固定しかつ／又は第２の保持部材をバーに固定し、
バーに結合された連結エレメントを介して、リフトを用いてバーを持上げ、これにより、タワー壁部分を持ち上げることを特徴とする、風車のタワー壁部分を持ち上げるための方法。
【請求項１２】
第１の係合部分と第２の係合部分との間の第１の距離を、該第１の距離とは異なる第２の距離（ｄ１′）に変更し、
別の第１の位置において前記第１の係合部分を用いかつ別の第２の位置において前記第２の係合部分を用いて、別のタワー壁部分に係合し、
第１の保持部材をバーにさらに固定しかつ／又は第２の保持部材をバーにさらに固定し、
バーに結合された連結エレメントを介して、リフトを用いてバーをさらに持ち上げ、これにより、別のタワー壁部分を持ち上げる、請求項１１記載の方法。
【請求項１３】
第１の保持部材及び／又は第２の保持部材が、第１の係合部分と第２の係合部分との間の距離を変更するために、バーに沿って摺動させられる、請求項１２記載の方法。
【請求項１４】
タワー壁部分に係合することが、第１の係合部分を、第１の位置において、タワー壁部分におけるフランジ（１１５）の下方に配置し、第２の係合部分を、第２の位置において、タワー壁部分におけるフランジ（１１９）の下方に配置し、第２の位置が、特に、第１の位置と反対側である、請求項１１から１３までのいずれか１項記載の方法。
【請求項１５】
前記方法ステップのうちの少なくとも１つが、遠隔制御される、請求項１１から１４までのいずれか１項記載の方法。
【発明の詳細な説明】
【技術分野】
【０００１】
本発明は、風車のタワー壁部分を持ち上げるための装置及び風車のタワー壁部分を持ち上げるための方法に関する。特に、本発明は、それぞれ異なる直径を有するタワー壁部分から成る風車のタワー壁を組み立てるのに適した、風車のタワー壁部分を持ち上げるための装置及び風車のタワー壁部分を持ち上げるための方法に関する。
【背景技術】
【０００２】
国際公開第２００８／０００２６２号は、風車構成部材を取り扱うための持上げ装置を開示しており、この場合、標準的な持上げブラケットが、複数のボルトによって、タワーセクションの端部フランジに結合されている。
【０００３】
風車の大型のタワーが設置されて据え付けられる場合、各タワーセクションは、クレーンによって、例えば基礎の上に配置される底部のタワーセクションから順に、持ち上げられなければならず、後続のタワーセクションは互いに上下に配置される。国際公開第２００８／０００２６２号に開示された持上げブラケットは、風車のタワー壁の端部に取り付けられなければならない。第１のタワー壁部セクションを、既に据え付けられたタワーセクション又は基礎へ持ち上げて組み付けた後、持上げブラケットは、第１のタワー壁部セクションから取り外され、再び、第１のタワー壁部セクションの上部に結合される第２のタワーセクションに取り付けられなければならない。これは、極めて時間を浪費する。
【０００４】
通常、持上げブラケット又は同様の持上げ手段は、タワーセクションの端部に、ボルト又は同様の結合手段によって取り付けられる。しばしば、これは技術者によって手作業で行われる。従って、技術者は、既に組み立てられたタワーセクションに登り、設置されたタワーセクションからブラケットを取り外すために持上げ手段を着脱し、タワーから降り、ブラケットを、既に設置されたタワー部分に組み付けられる別のタワーセクションに取り付けることが必要とされる。これは、極めて時間を浪費する。なぜならば、技術者は、登らなければならず、特に、クレーン、又はタワー内部に据え付けられたエレベータによって持ち上げられることを伴う。特に、持上げ手段は、極めて大型でかつ重く、これは、持上げ手段を着脱し、持上げ手段を、既に設置されたタワー部分から取外し、持上げ手段を、既に設置されたタワー部分の上部に組み付けられるタワーセクションに取り付けることを複雑にする。
【先行技術文献】
【特許文献】
【０００５】
【特許文献１】国際公開第２００８／０００２６２号
【発明の概要】
【発明が解決しようとする課題】
【０００６】
複数の（特に環状の）タワーセクション又はタワー部分から風車タワー壁を組み立てる単純な方法を可能にする、風車のタワー壁部分を持ち上げるための装置及び方法が必要とされており、これにより、組立てプロセスは、風車のタワー壁を組み立てるための慣用の方法と比較して、短縮される。
【０００７】
さらに、それぞれ異なる寸法、特にそれぞれ異なる直径を有するタワー壁部分を持ち上げるのに適した、風車のタワー壁部分を持ち上げるための装置及び方法が必要とされている。特に、それぞれ異なる寸法、特にそれぞれ異なる直径を有する複数のタワー部分から成る風車のタワー壁を組み立てるのに適した、風車のタワー壁部分を持ち上げるための装置及び方法が必要とされている。
【課題を解決するための手段】
【０００８】
前記要求は、独立請求項による主体によって達成される。本発明の有利な実施の形態は、従属請求項によって記載されている。
【０００９】
実施の形態によれば、風車のタワー壁部分を持ち上げるための装置が提供され、この装置は、リフトの連結エレメントに結合可能なバーと、第１の位置において、タワー壁部分に係合するための第１の係合部分を有する第１の保持部材と、第１の位置とは異なる第２の位置において、タワー壁部分に係合するための第２の係合部分を有する第２の保持部材とを有しており、第１の保持部材と、第２の保持部材とは、第１の係合部分と第２の係合部分とが互いに第１の距離だけ離れて配置されるように、（特に取外し可能に）バーに固定可能であり、第１の保持部材と、第２の保持部材とは、第１の係合部分と第２の係合部分とが互いに第２の距離だけ離れて配置され、第２の距離が第１の距離が異なるように、（特に取外し可能に）バーに固定可能である。
【００１０】
装置は、環状のタワー壁部分を持ち上げるのに適していてよい。特に、タワー壁部分は、円形、多角形（４つ、６つ、８つ又はそれ以上の角を有するような多角形）、だ円形、又はあらゆるその他の形状等の、環状の横断面形状を有していてよい。横断面でみて、タワー壁部分は、２〜２０ｍ、特に３〜１０ｍ、特に約５ｍの直径を有していてよい。タワー壁部分は、特に、鋼等の金属から製造されていてよい。タワー壁部分は、３〜１００ｍ、特に１０〜７０ｍ、特に３０〜６０ｍの高さ（風車タワーの長手方向での高さ）を有していてよい。タワー壁部分の壁厚は、２〜１０ｃｍ、特に３〜５ｃｍであってよい。
【００１１】
リフトは、例えば、クレーンを含んでいる又はクレーンであってよく、連結エレメントは、例えば、クレーンによって持上げ可能なフックであってよい。
【００１２】
バーは、特にパッドアイ、ループ、グロメット等を使用して、リフトの連結エレメントに結合可能であってよい。特に、バーは、連結エレメントに、解離可能な形式で結合可能であってよい。バーは、長手方向で最大の範囲を有する延長した形状を有していてよい。バーは、例えば、鉄又は鋼等の金属から製造されていてよい。バーは、ビーム、ロッド、ポール等によって表されてもよい。バーの長さ（バーの長手方向に沿った長さ）は、２〜２０ｍ、特に４〜１０ｍであってよい。バーの長さは、持ち上げられるタワー壁部分の直径に依存してよい。特に、バーの長さは、持ち上げられるタワー壁部分の直径よりも大きくてよい。
【００１３】
バーは、タワー壁部分が係合部分によって係合されている時に、保持部材に作用しかつバーに伝達される力に耐えるように十分な剛性を提供するための横断面形状を有していてよい。特に、バーは、Ｔ字形、Ｉ字形、Ｕ字形、Ｏ字形、又はタワー壁部分を保持しかつ持ち上げるための十分な剛性を提供するあらゆるその他の形状等の、横断面形状を有していてよい。
【００１４】
第１の保持部材と、第２の保持部材とは、第１の保持部材及び／又は第２の保持部材をバーに（特に取外し可能に）固定するための部分を有していてよい。これは、少なくとも１つボルトを含んでよい。特に、第１の保持部材と、第２の保持部材とは、バーの長手方向に沿って、バーに沿って摺動可能であってよい。第１の保持部材及び／又は第２の保持部材をバーに固定するために、１つ以上のボルトが提供されてよく、このボルトは、第１の保持部材及び／又は第２の保持部材及び／又はバーに設けられた１つ以上の孔に挿入されてよい。特に、第１の保持部材及び／又は第２の保持部材は、保持部材をバーに沿ってシフトさせるための手段と、保持部材をバーに固定するための手段とを有していてよい。
【００１５】
特に、第１の保持部材及び／又は第２の保持部材は、第１の係合部分と第２の係合部分との間に第１の距離又は第２の距離が形成されるように、バーに沿った所定の位置に固定可能であってよい。択一的な実施の形態において、第１の保持部材及び／又は第２の保持部材及び／又はバーは、第１の係合部分と第２の係合部分との間の距離が数ｃｍ（例えば１０ｃｍ）等の最小値と、最大値（例えば１５ｍ、特に１０ｍ、さらに特に７ｍ）との間のあらゆる値に調節可能であるように、第１の係合部分と第２の係合部分との間の距離が連続的に調節されるように適応されていてよい。
【００１６】
第１の保持部材と、第２の保持部材とは、バーに固定され、バーに沿った（バーの長手方向に沿った）別の位置に固定されるためにバーから選択的に取り外されるように、解離可能な形式で（両方とも、又はいずれか一方が）バーに固定可能であってよい。実施の形態によれば、第１の保持部材及び第２の保持部材の一方のみが、解離可能な形式でバーに固定可能であってよく、他方は、解離不能な形式でバーに固定可能であってよい（又は固定して固定されていてよい）。これにより、第１の保持部材及び／又は第２の保持部材をバーに捕捉、掛合、締結、係合、又は位置合わせすることを提供する固定機構が提供されてよい。固定機構は、例えば、１つ以上のばね、ボルト等を含んでよい。
【００１７】
第１の係合部分は、例えばボルトをタワー壁セクションの孔に挿入することによって、又は係合部分の表面部分をタワー壁部分の端部フランジの下側へシフトさせることによって、第１の位置においてタワー壁部分に係合するように適応されている。特に、第１の係合部分及び／又は第２の係合部分は、第１の位置及び第２の位置のそれぞれにおいてタワー壁部分の領域と直接に又は間接に接触させられてよい。直接又は間接の接触によって、タワー壁部分の重力は、第１の係合部分及び第２の係合部分に伝達され、タワー壁部分が、第１の位置において第１の係合部分に懸吊され、第２の位置において第２の係合部分に懸吊される。
【００１８】
これにより、特に、第１の係合部分及び／又は第２の係合部分は、第１の保持部材及び／又は第２の保持部材及び／又はバーによって提供されるあらゆる移動機構及び／又は固定機構から独立している若しくは別個であってよい。これにより、それぞれ異なる位置においてタワー壁部分に係合するための機能を提供するための、第１の係合部分及び／又は第２の係合部分の構造、機能、形状、及び構成を選択的に適応させるための、大きな柔軟性が提供されてよい。特に、第１の保持部材及び／又は第２の保持部材が、爪として適応させられていてよい。特に、第１の係合部分及び／又は第２の係合部分は、縁部、フランジ、又は孔等の、上端部の僅かに下側においてタワー壁部分に係合するように適応されていてよい。
【００１９】
タワー壁部分を持ち上げるための装置は、特定のタワー壁部分寸法（特にタワー壁部分の直径）に適応させられるように係合部分の間の距離を調節するために、１つ以上のバー（特にビーム）に可動に取り付けられた２つ以上の係合部分（特に爪）、好適には４つの係合部分（特に爪）を含む、ユニバーサルなタワー持上げツールを表してよい。
【００２０】
特に、爪は、タワー壁部分（特にタワーセクション）の端部及びバー（特にビーム）に固定手段によって固定されてよい。第１の係合部分と、第２の係合部分との間の距離が、第１の距離から、第１の距離と異なる（特に第１の距離よりも大きな）第２の距離に変更可能であることにより、タワー壁部分を持ち上げるための装置は、それぞれ異なる寸法を有する（特にそれぞれ異なる直径を有する）タワー壁部分を持ち上げるのに適している。これにより、それぞれが、特定の寸法を有する（特に特定の直径を有する）タワー壁部分を持ち上げるために適応された、複数の持上げツールを提供することが回避されてよい。これにより、風車タワー壁の組立ては、特に、所要の装置を減じることによって、及び組立て時間及びコストを減じることによって、単純化されてよい。
【００２１】
実施の形態によれば、第１の保持部材及び／又は第２の保持部材は、バーの長手方向でバーに沿って摺動可能である。特に、バー及び／又は第１の保持部材及び／又は第２の保持部材は、バーに沿って保持部材を摺動させるのを案内するための、１つ以上のローラ及び／又はトレースを有していてよい。特に、第１の保持部材及び／又は第２の保持部材は、手動で摺動させられるか、又はモータ（特に電気モータ）又はあらゆる液圧式操作装置等のアクチュエータを使用して摺動させられてよい。これにより、第１の係合部分と第２の係合部分との間の距離の調節が、単純化されてよい。特に、第１の保持部材及び／又は第２の保持部材は、バーに沿って連続的に摺動させられてよい。実施の形態によれば、第１の保持部材及び第２の保持部材のうちの一方のみが、バーに沿って摺動可能であり、第１の保持部材及び第２の保持部材のうちの他方が、バーに沿って摺動可能ではなく、特定の位置においてバーに固定可能である（若しくは定置に固定されている）。
【００２２】
実施の形態によれば、第１の係合部分及び第２の係合部分は、第１の係合部分と第２の係合部分との間の距離を増大することによって、タワー部分に係合するために配置可能である。これにより、第１の係合部分と、第２の係合部分とは、タワー壁部分に、内側から、特にタワー壁部分から内方へ突出した縁部又はフランジに係合してよい。特に、第１の係合部分と第２の係合部分との間の距離を増大することによって、係合部分、ひいてはタワー壁部分を持ち上げるための装置は、タワー壁部分にロック又は固定され、これにより、タワー壁部分が落下するのを回避若しくは防止している。特に、タワー壁部分を、タワー壁部分を持ち上げるための装置に固定することは、タワー壁部分の内面の間に保持部材の半径方向外側部分を締め付けることを伴いながら、第１の係合部分と第２の係合部分との間の距離を増大することによって、安定して達成されてよい。
【００２３】
実施の形態によれば、第１の係合部分及び／又は第２の係合部分は、タワー壁部分に配置されたフランジに係合するように適応されている。フランジは、タワー壁部分の上部に配置される別のタワー壁部分に結合するための、タワー壁部分の結合部分を提供してよい。フランジは、特に、タワー壁部分の厚さよりも大きな幅を有するエッジが、タワー壁部分の上端部に形成されるように、タワー壁部分の主面（特に内面）から（外方へ又は内方へ）突出する縁部又は膨らみを有していてよい。突出部分は、係合部分が壁部分と接触させられる係合位置として働いてよい。
【００２４】
特に、フランジは、タワー壁部分を、タワー壁部分の上部に配置される別のタワー壁部分に（特にフランジにおいて）結合するための１つ以上のボルトを挿入するための１つ以上の孔を有していてよい。特に、フランジは、第１の係合部分及び／又は第２の係合部分が、タワー壁部分に係合するために突出部の下側に配置されるように、タワー壁部分の主面（内面又は外面）から突出している。これにより、タワー壁部分に係合する単純な形式が提供されてよい。
【００２５】
実施の形態によれば、フランジは、タワー壁部分から内方へ突出している。これにより、バーが、タワー壁部分の上面（特に環状の面）の上方に配置され、第１の係合部分と、第２の係合部分とが、環状のタワー壁部分内で、タワー壁部分から内方へ延びたフランジの下面の下方に配置されるように、タワー壁部分を持ち上げるための装置は、タワー壁部分に対して配置されてよい。タワー壁部分に係合するために、第１の係合部分と、第２の係合部分とは、係合部分がフランジの下面の下方に位置し、これにより、場合によっては、タワー壁部分の内面に接触するように、（バーに沿って）互いから離れるようにシフトされてよい。第１の係合部分と、第２の係合部分との互いに対する摺動可能性をラッチ若しくはその他の形式で固定することによって、タワー壁部分の係合は、固定されてよい。これにより、タワー壁部分を持ち上げるための固定装置が提供されてよい。
【００２６】
実施の形態によれば、タワー壁部分を持ち上げるための装置は、さらに、第１の保持部材と、第２の保持部材とを互いに対して移動させるように適応された、移動アクチュエータを含む。別の実施の形態において、第１の保持部材と、第２の保持部材とは、互いに対して手動で移動させられてよいが、移動アクチュエータは、タワー壁部分を持ち上げるための装置を使用する技術者が、個人的に、筋力を用いて保持部材を互いに対して移動させるための力又はエネルギを加える必要がないように、機械又は装置の力を提供してよい。これにより、タワー壁部分を持ち上げるための装置を利用することは、単純化され、十分な筋力を加えることができない人によって行われてよい。
【００２７】
実施の形態によれば、移動アクチュエータは、液圧式アクチュエータ及び／又は電気アクチュエータを含む。電気アクチュエータは、例えば、電気モータを含んでよく、液圧式アクチュエータは、保持部材を互いに対して移動させるために、シリンダ及び／又はピストンに供給される圧縮油のためのコンプレッサを含んでよい。これにより、有効でかつ費用対効果の高い移動アクチュエータが提供されてよい。
【００２８】
実施の形態によれば、タワー壁部分を持ち上げるための装置は、さらに、第１の保持部材及び／又は第２の保持部材をバーに固定するように適応された固定アクチュエータを含む。固定は、実施の形態によれば、（ラッチング、ボルトの挿入等によって）手作業で行われてよいが、固定アクチュエータは、不慣れな人でも、タワー壁部分を持ち上げるための装置をうまく使用できるように、固定を単純化してよい。
【００２９】
実施の形態によれば、固定アクチュエータは、液圧式アクチュエータ及び／又は電気アクチュエータを含む。実施の形態によれば、タワー壁部分を持ち上げるための装置は、第１の係合部分と、第２の係合部分とが、互いに向き合った第１の位置と第２の位置とにおいてタワー壁部分の環状の上端部に係合するように、適応されている。特に、第１の位置と第２の位置との間の距離は、実質的に、第１の位置におけるタワー壁部の内面の領域と、第２の位置におけるタワー内壁の領域との間で測定された、タワー壁部分の上端部におけるタワー壁部分の直径と等しくてよい。これにより、第１の係合部材と、第２の係合部材とは、互いから最大限に間隔を置いて位置する２つの位置において係合してよい。これにより、第１の係合部分及び／又は第２の係合部分が、第１の位置及び／又は第２の位置から（特にフランジの下側部分において）滑る危険性が回避される。なぜならば、第１の係合部分と、第２の係合部分とは、タワー壁部分の内面に沿ってシフトすることが防止されているからである（両係合部分が、回転運動に従ってシフトする場合を除く）。これにより、持上げ装置の安全性が高められてよい。
【００３０】
実施の形態によれば、風車のタワー壁部分を持ち上げるための方法が提供され、この方法は、第１の保持部材に設けられた第１の係合部分と、第２の保持部材に設けられた第２の係合部分との間の第１の距離を調節し、第１の位置において第１の係合部分を用いかつ第２の位置において第２の係合部分を用いてタワー壁部分に係合し、第１の保持部材をバーに固定しかつ／又は第２の保持部材をバーに固定し、バーに結合された連結エレメントを介して、リフトを用いてバーを持ち上げ、これにより、タワー壁部分を持ち上げることを含む。
【００３１】
実施の形態によれば、タワー壁部分を持ち上げるための方法は、さらに、第１の係合部分と第２の係合部分との間の第１の距離を、第１の距離とは異なる第２の距離に変更し、別の第１の位置において第１の係合部分を用いかつ別の第２の位置において第２の係合部分を用いて別のタワー壁部分に係合し、第１の保持部材をバーにさらに固定しかつ／又は第２の保持部材をバーにさらに固定し、バーに結合された連結エレメントを介して、リフトを用いてバーをさらに持ち上げ、これにより、別のタワー壁部分を持ち上げることを含む。
【００３２】
ここでは、別のタワー壁部分は、（前に持ち上げられた）タワー壁部分の直径と比較して、異なる（特により小さな又はより大きな）直径を有していてよい。特に、別のタワー壁部分は、特に、それぞれのタワー壁部分の内面の向き合った部分から測定した場合に、タワー壁部分よりも小さな直径を有していてよい。これにより、高さが増大するに従って減少する直径を有するタワー壁部が組み立てられてよい。特に、タワー壁部分と、別のタワー壁部分とは、互いに異なる円周を有していてよい。タワー壁部分を持ち上げるための、唯一の同じ装置が、それぞれ異なる円周又はそれぞれ異なる直径を有する両方のタワー壁部分を持ち上げるために、使用されてよい。これにより、多くの手作業が省略されてよい。なぜならば、タワー持上げツール又は壁部分を持ち上げるための装置は、ツールの遠隔制御によって取付け可能であってよいからである。
【００３３】
実施尾形態によれば、第１の保持部材及び／又は第２の保持部材は、第１の係合部分と第２の係合部分との間の距離を変化させるために、バーに沿って摺動させられる。
【００３４】
実施の形態によれば、タワー壁部に係合することは、第１の位置において第１の係合部分をタワー壁部分におけるフランジの下方に配置し、第２の位置において第２の係合部分をタワー壁部分におけるフランジの下方に配置することを含み、第２の位置は、特に、第１の位置と向き合って配置されている。
【００３５】
実施の形態によれば、タワー壁部分及び／又は別のタワー壁部分に係合する、固定及び／又は別の固定、及び／又は持上げ及び／又は別の持上げ等の、前記方法ステップのうちの少なくとも１つは、遠隔制御されてよい。
【００３６】
実施の形態によれば、持上げ装置は、複数のタワーセクション又はタワー部分を含む、全体の組み立てられたタワー壁部を持ち上げるために使用されてもよい。この形式において、タワー壁部全体を持ち上げることができ、かつ取り付けられる多くのボルトを用いて確実な形式で据え付けられるために、通常は付加的な時間がかかる、別個のタワー持上げツールを有する必要はない。
【００３７】
係合部材（特に、爪）の移動は、タワーセクションが（例えばトラックにおいて）降ろされた時に、例えば地面において、操作手段によって行われるか、単に手作業による移動であってよい。操作手段は、モータ、ピストン及び／又は弁又は同様の手段を操作するための、液圧式及び／又は電気的手段を含んでよい。固定手段又は固定アクチュエータは、同様の液圧式及び／又は電気的操作手段を含んでよい。固定手段は、１対状のボルト又は同様の手段等の機械的手段、又はタワーが持ち上げられた時に機械的に操作される機械的手段であってもよい。
【００３８】
固定手段は、係合部分が移動させられた時に、係合部分がタワーセクション（タワー部分）の端部に自動的に固定されるように、係合部分（特に、爪）の移動の一体化された部分であってよい。
【００３９】
特に、タワー壁部分を持ち上げるための持上げツール若しくは装置は、洋上で、特にタワーが複数のタワーセクションから組み立てられるところにおいて、使用されてよい。
【００４０】
タワー持上げツール又は持上げ装置は、係合部分（特に、爪）の移動及び／又はロッキングを監視するための、１つ以上のセンサを含んでよい。これらのセンサは、センサを監視するためのコンピュータ又は制御装置に、無線で、又はワイヤ（電気ファイバ又は光ファイバ）を用いることによって、接続されてよい。
【００４１】
特に、係合部分（特に、爪）の移動及び／又は固定は、遠隔で操作されてよい。
【００４２】
実施の形態において、タワー持上げツールは、それぞれが、２つの可動に取り付けられた係合部分（爪）を有する、２つのビーム（バー）を含む。ビームのうちの一方は、２つの解離可能な及び／又はヒンジ結合されたビームに分割されていてよい。１つ以上のボルト又は同様の結合手段を取り外すことによって、解離可能な及び／又はヒンジ結合されたビームは、他方のビームに対して平行に回動されることができる（若しくは折り畳まれることができる）。この形式において、タワー持上げツールは、慣用の持上げツールの所要のスペースと比較して、より小さなスペース及び空間を占めるので、タワー持上げツールの搬送が単純化されてよい。
【００４３】
タワー持上げツール若しくは持上げ装置は、タワー、又は別個のタワー端部又はカバーを有するタワーセクションに結合することができる。このカバーは、タワー又はタワーセクションが輸送又は保管される周囲環境から、雨、雪、塩水、及び汚れに対してタワーの内部を保護するために、タワーセクションの端部に結合されてよい。
【００４４】
発明の実施の形態は、それぞれ異なる主体に関連して説明されている。特に、幾つかの実施の形態は、方法形式の請求項に関連して説明されているが、他の実施の形態は、装置形式の請求項に関連して説明されている。しかしながら、当業者は、特に断りのない限り、一方の形式の主体に属する特徴のあらゆる組合せに加え、互いに異なる主体に関する特徴、特に方法形式の請求項の特徴と装置形式の請求項の特徴との、あらゆる組合せも、本文献に開示されるものとして考えられることが、上記及び下記の説明から、認識するであろう。
【００４５】
本発明の、上記で定義された態様、及びその他の態様は、以下に説明される実施の形態から明らかであり、実施の形態に関連して説明される。発明は、実施の形態に関連して以下にさらに詳細に説明されるが、発明は、これに限定されない。
【図面の簡単な説明】
【００４６】
【図１】実施の形態による、タワー壁部分を持ち上げるための装置の側面図を概略的に示している。
【図２】図１に示された、タワー壁部分を持ち上げるための装置の平面図を概略的に示している。
【図３】輸送のために適した収納された（若しくは折り畳まれた）状態における、図１及び図２に示された、タワー壁部分を持ち上げるための装置の平面図を概略的に示している。
【図４】実施の形態による、タワー壁部分を持ち上げるための方法における方法ステップを概略的に示している。
【図５】実施の形態による、タワー壁部分を持ち上げるための方法における別の方法ステップを概略的に示している。
【図６】実施の形態による、タワー壁部分を持ち上げるための方法における別の方法ステップを概略的に示している。
【図７】実施の形態による、タワー壁（部分）の上端部に取り付けられた、タワー壁部分を持ち上げるための装置を概略的に示している。
【図８】図７に示されたタワー壁部分と比較して、より小さな直径を有する別のタワー壁（部分）に取り付けられた、タワー壁部分を持ち上げるための装置を概略的に示している。
【発明を実施するための形態】
【００４７】
図示は概略的である。それぞれ異なる図面において、同じ構成要素に対して、同じ参照符号、又は対応する参照符号と最初の数字だけが異なる参照符号が、提供されている。
【００４８】
図１は、実施の形態による、風車のタワー壁部分を持ち上げるための装置１００の側面図を概略的に示している。
【００４９】
装置１００は、長手方向軸線１３３を有するバー１０１を有しており、長手方向軸線１３３に沿ってバーは最大範囲まで延びている。バー１０１は、鋼等の金属を用いて製造されている。バー１０１は、さらに、孔１０４を有するパッドアイ１０３を有しており、孔１０４に、装置１００を持ち上げるためのクレーンのフックが挿入される。バーは、例示された実施の形態において、図１の図平面に対して垂直な断面でみて、Ｉ字形である。作動中、長手方向軸線１３３は水平方向に沿って延びており、鉛直方向はＺ軸によって示されている。
【００５０】
タワー壁部分を持ち上げるための装置１００は、第１の保持部材１０５と、第２の保持部材１０７と、第３の保持部材１０９と、図示されていない第４の保持部材１１１とを有している。第３の保持部材１０９と、第４の保持部材１１１とは、図１の図平面に対して垂直に配置された長手方向軸線を有する第２のバー１０２に配置されている。第１の保持部材１０５と、第２の保持部材１０７とは、バー１０１に沿って長手方向１３３に摺動可能である。第１の保持部材１０５と、第２の保持部材１０７とは、ボルト１４３を用いて、長手方向軸線１３３に沿った特定の位置において、バー１０１に固定可能である。ボルト１４３を締め付けることは、第１の保持部材１０５と、第２の保持部材１０７とが、長手方向軸線１３３に沿った選択可能な位置においてバー１０１に固定されるように、長手方向軸線１３３に沿った位置を変化させないことを保証する。
【００５１】
第１の保持部材１０５は、フランジ領域（若しくは縁部）１１５の下方においてタワー壁部分１１３に係合するための、第１の係合部分１０６を有している。これにより、第１の係合部分１０６の上側係合面１１７は、風車タワーの内側に向かって内方へ突出したフランジ領域１１５の下面と接触させられる。フランジ領域１１５とは反対側において、タワー壁部分１１３は、第２の保持部材１０７に設けられた第２の係合部分１０８によって係合されるフランジ領域１１９を有している。特に、第２の係合部分１０８の係合面１２１は、フランジ領域１１９の下面と直接に接触しており、これにより、タワー壁部分１１３をフランジ領域１１９に保持する。
【００５２】
タワー壁部の長手方向軸線は、参照符号１２３によって示されている。図１には示されていないが、タワー壁部分１１３のその他の縁部は、第３の保持部材１０９の第３の係合部分１１０と、第４の保持部材１１１の第４の係合部分１１２とによって、支持若しくは係合されている。これにより、タワー壁部分１１３は、タワー壁部分１１３の内方に面した（突出した）フランジにおいて、４つの異なる領域において、支持若しくは係合されており、４つの領域は、周方向で、約９０゜だけ間隔を置かれている。これにより、タワー壁部分１１３は、タワー壁部分１１３の持上げが安全な形式で行われるように、確実に保持及び支持される。
【００５３】
図２は、図１に示されたタワー壁部分を持ち上げるための装置１００の平面図を概略的に示している。図２は、鉛直方向Ｚで見たものである。図２から分かるように、第２のバー１０２は、結合部材１２５を介して互いに結合された２つの部分１０２ａ，１０２ｂを有している。結合部材１２５は、バー１０２を２つの部分１０２ａ，１０２ｂに分解することを可能にするか又はヒンジとして適応された、ジョイント若しくはボルト１２７を有しており、前記ヒンジを中心として、第２のバー１０２の２つのアーム１０２ａ，１０２ｂが、バー１０１に対して平行になるように回動させられてよい。
【００５４】
特に、２つのバー１０１，１０２は、例えば輸送のために、互いから分離されるか、又は同じ方向に沿って向けられるように互いに結合されたままであってよい。特に、１つ以上のボルト１０２又は同様の結合手段を取り外すことによって、解離可能な及び／又はヒンジ結合されたバー１０１，１０２若しくはビームは、互いに平行になるように回動させられることができる。これにより、タワー壁部分を持ち上げるための装置の輸送は、単純化され、より小さなスペースを必要とする。
【００５５】
図３は、収納された（若しくは折り畳まれた）状態における、図１及び図２に示された、タワー壁部分を持ち上げるための装置１００の平面図を概略的に示しており、第２のバー部分１０２ａ，１０２ｂは、第２のバー１０２の部分の長手方向軸線がバー１０２の長手方向軸線１３３に対して平行になるように、ジョイント１２７を中心に回動させられている。これにより、装置１００は、より小さなスペースを必要とし、このことは、持上げ装置１００の輸送を単純化する。
【００５６】
図４は、実施の形態による、タワー壁部分を持ち上げるための方法ステップを概略的に示している。例示された実施の形態において、タワー壁部分の一部又はタワー壁全体１１４は、トラック又は列車によって輸送されるときのように、長手方向軸線１２３が水平方向に向くように配置されている。フック１２９が結合されたクレーンを用いて、図１から図３に示された、タワー壁部分を持ち上げるための装置１００は、タワー壁部分１１４の上端部１３１の近くに配置される。これにより、タワー壁部分を持ち上げるための装置１００をフック１２９に結合するために、ロープ１３０が、パッドアイ１０３の孔１０４に通される。
【００５７】
図５に示された次の方法ステップにおいて、タワー壁部分を持ち上げるための装置１００は、（タワー部分１１４の上端部１３１において）タワー部分１１４の縁部若しくはフランジに係合し、タワー壁部分を持ち上げるための装置１００がタワー部分１１４の上端部１３１に固定されるように、固定される。
【００５８】
図６に示された次の方法ステップにおいて、クレーンは、フック１２９を介してタワー部分１１４を持ち上げており、タワー部分を持ち上げるための装置１００は、タワー部分１１４の長手方向１２３が鉛直方向Ｚと一致するように、タワー部分１１４を向けている。
【００５９】
実施の形態によれば、タワー部分全体は、この形式で設置され、特定の位置に据え付けられる。別の実施の形態によれば、別のタワー壁部分は、タワー壁を完成させるために、タワー部分１１４の上部に配置され、タワー部分１１４に結合される。
【００６０】
図７は、タワー部分の高さを増大するために、より多くのタワー壁部分が形成され、互いに上下に積み重ねられた、タワー部分１１４を示している。これにより、それぞれのタワー壁部分、例えば直径ｄ２を有するタワー壁部分は、タワー壁部分を持ち上げるための装置１００を用いて持ち上げられている。
【００６１】
図８は、図１から図３に示された、タワー壁部分を持ち上げるための装置１００が、図７に示された方法ステップに従って持ち上げられたタワー壁部分１１３の直径ｄ２よりも小さな直径ｄ２′を有するタワー壁部分１１３を持ち上げるために、どのように使用されるかを、概略的に示している。
【００６２】
図８に示されたタワー壁部分１１３を持ち上げるために、第１の係合部分１０６と、第２の係合部分１０８との間の距離ｄ１（タワー壁部分１１３の直径であるｄ２と実質的に等しい）（図１と比較）は、図７に示された距離ｄ１から、図８に示された距離ｄ１′（タワー壁部分１１３′の直径であるｄ２′と実質的に等しい）へ変更されている。これにより、第１の係合部分１０６と、第２の係合部分１０８とは、互いに反対側の、タワー壁部分１１３の上端部におけるそれぞれ異なるフランジ領域に係合する。さらに、第３及び第４の係合部分は、互いに反対側の、タワー壁部分１１３のフランジ領域に係合する。これにより、タワー壁部分を持ち上げるための装置１００は、周方向に９０゜だけ間隔を置いて配置された４つの異なる領域において（特に、タワー壁部分の上端部におけるフランジにおいて）タワー壁部分に係合することにより、それぞれ異なる直径を有するタワー壁部分を確実に持ち上げることを可能にする。特に、係合部分は、爪として適応されていてよい。
【００６３】
「含む」とは、その他の構成要素又はステップを除外せず、単数は、複数を除外しない。また、様々な異なる実施の形態に関連して説明された構成要素は、組み合わされてよい。請求項における参照符号は、請求項の範囲を限定するものと解釈されるべきではない。
【符号の説明】
【００６４】
１００  タワー壁部分を持ち上げるための装置、  １０１  バー、  １０２  第２のバー、  １０２ａ，１０２ｂ  部分、  １０３  パッドアイ、  １０４  孔、  １０５  第１の保持部材、  １０６  第１の係合部分、  １０７  第２の保持部材、  １０８  第２の係合部分、  １０９  第３の保持部材、  １１１  第４の保持部材、  １１３  タワー壁部分、  １１４  タワー部分、  １１５  フランジ領域、  １１９  フランジ領域、  １２１  係合面、  １２３  長手方向、  １２５  結合部材、  １２７  ジョイント若しくはボルト、  １２９  フック、  １３０  ロープ、  １３１  上端部、  １３３  長手方向軸、  １４３  ボルト
【図１】
2012012223.tif 000003
【図２】
2012012223.tif 000004
【図３】
2012012223.tif 000005
【図４】
2012012223.tif 000006
【図５】
2012012223.tif 000007
【図６】
2012012223.tif 000008
【図７】
2012012223.tif 000009
【図８】
2012012223.tif 000010
【外国語明細書】
2012012223.tif 000011
2012012223.tif 000012
2012012223.tif 000013
2012012223.tif 000014
2012012223.tif 000015
2012012223.tif 000016
2012012223.tif 000017
2012012223.tif 000018
2012012223.tif 000019
2012012223.tif 000020
2012012223.tif 000021
2012012223.tif 000022
2012012223.tif 000023
2012012223.tif 000024
2012012223.tif 000025
2012012223.tif 000026
2012012223.tif 000027
2012012223.tif 000028
2012012223.tif 000029
2012012223.tif 000030
2012012223.tif 000031
2012012223.tif 000032
2012012223.tif 000033
2012012223.tif 000034
2012012223.tif 000035
2012012223.tif 000036
2012012223.tif 000037
2012012223.tif 000038
2012012223.tif 000039
2012012223.tif 000040
2012012223.tif 000041
2012012223.tif 000042